(57)【要約】【課題】キャリッジの大型化、重量化及び部品の高精度化が要求されることなく、簡単な構成によって記録ヘッドの傾きを高精度に調整することのできるインクジェットプリンタにおける記録ヘッドの傾き調整装置を提供すること。【解決課題】複数のノズルが配列された記録ヘッドを取り付ける取り付け部と、該取り付け部に設けられ、前記記録ヘッドのノズルの配列方向に沿う側面を押圧する押圧部材とを備え、該押圧部材で前記記録ヘッドの側面を押圧することにより、前記取り付け部における前記記録ヘッドのノズル配列方向の傾きを調整可能としたインクジェットプリンタにおける記録ヘッドの傾き調整装置であって、前記押圧部材は、前記ノズルの配列方向に沿って直線移動する軸を有し、該軸で前記記録ヘッドの側面を押圧することを特徴とするインクジェットプリンタにおける記録ヘッドの傾き調整装置。【選択図】  図１
2005081713.tif 000002
【特許請求の範囲】
【請求項１】
複数のノズルが配列された記録ヘッドを取り付ける取り付け部と、該取り付け部に設けられ、前記記録ヘッドのノズルの配列方向に沿う側面を押圧する押圧部材とを備え、該押圧部材で前記記録ヘッドの側面を押圧することにより、前記取り付け部における前記記録ヘッドのノズル配列方向の傾きを調整可能としたインクジェットプリンタにおける記録ヘッドの傾き調整装置であって、前記押圧部材は、前記ノズルの配列方向に沿って直線移動する軸を有し、該軸で前記記録ヘッドの側面を押圧することを特徴とするインクジェットプリンタにおける記録ヘッドの傾き調整装置。
【請求項２】
前記取り付け部は、前記記録ヘッドの側面に向けて次第に傾斜するガイド面を有し、前記軸の先端は、前記直線移動に伴って前記ガイド面に沿って前記記録ヘッドの側面に向けて移動することにより、前記記録ヘッドの側面を押圧することを特徴とする請求項１記載のインクジェットプリンタにおける記録ヘッドの傾き調整装置。
【請求項３】
前記軸の先端は、次第に先細りとなるテーパー状に形成され、該軸の先端側の側面で前記記録ヘッドの側面を押圧することを特徴とする請求項１記載のインクジェットプリンタにおける記録ヘッドの傾き調整装置。
【請求項４】
前記軸の直線移動は、該軸に形成された螺子部の螺合構造によって、該軸を回転させることにより行われることを特徴とする請求項１、２又は３記載のインクジェットプリンタにおける記録ヘッドの傾き調整装置。
【発明の詳細な説明】
【技術分野】
【０００１】
本発明は、インクジェットプリンタにおける記録ヘッドの傾き調整装置に関する。
【背景技術】
【０００２】
記録ヘッドのノズルから記録媒体に向けて所定のタイミングでインク滴を吐出することにより画像を記録するインクジェットプリンタは、高精細で高品質の画像を記録するため、記録ヘッドと記録媒体との相対位置が高精度に調整されている必要がある。特に、記録ヘッドのノズル面に形成された多数のノズルは、記録ヘッドの走査方向と直交する方向に沿って配列されていることが重要であり、ノズルの配列方向が正規の方向に対して多少でも傾いていると、インク滴の着弾位置がずれてしまうことにより、著しく画像品質を劣化させてしまう。
【０００３】
このため従来では、特許文献１に記載のように、記録ヘッドを、押圧部材を用いて、該記録ヘッドを搭載しているキャリッジの基準面に突き当てることにより記録ヘッドをキャリッジ上に位置決めするようにしている。
【特許文献１】特公平５−４８１９４号公報
【発明の開示】
【発明が解決しようとする課題】
【０００４】
しかしながら、このように記録ヘッドを基準面に突き当てることによって位置決めする方法では、記録ヘッドの製造、キャリッジの製造、キャリッジの駆動等のあらゆる部品精度を上げなくてはならず、非常にコストがかかる問題があった。
【０００５】
また、キャリッジ自体の小型化、このキャリッジを駆動させる駆動モータの小型化を図るため、キャリッジは軽量であることが望まれるが、位置決めに高精度が要求される結果、キャリッジの大型化、重量の増加を招く問題もあった。
【０００６】
そこで、本発明の課題は、キャリッジの大型化、重量化及び部品の高精度化が要求されることなく、簡単な構成によって記録ヘッドの傾きを高精度に調整することのできるインクジェットプリンタにおける記録ヘッドの傾き調整装置を提供することにある。
【０００７】
本発明の他の課題は、以下の記載により明らかとなる。
【課題を解決するための手段】
【０００８】
請求項１記載の発明は、複数のノズルが配列された記録ヘッドを取り付ける取り付け部と、該取り付け部に設けられ、前記記録ヘッドのノズルの配列方向に沿う側面を押圧する押圧部材とを備え、該押圧部材で前記記録ヘッドの側面を押圧することにより、前記取り付け部における前記記録ヘッドのノズル配列方向の傾きを調整可能としたインクジェットプリンタにおける記録ヘッドの傾き調整装置であって、前記押圧部材は、前記ノズルの配列方向に沿って直線移動する軸を有し、該軸で前記記録ヘッドの側面を押圧することを特徴とするインクジェットプリンタにおける記録ヘッドの傾き調整装置である。
【０００９】
請求項２記載の発明は、前記取り付け部は、前記記録ヘッドの側面に向けて次第に傾斜するガイド面を有し、前記軸の先端は、前記直線移動に伴って前記ガイド面に沿って前記記録ヘッドの側面に向けて移動することにより、前記記録ヘッドの側面を押圧することを特徴とする請求項１記載のインクジェットプリンタにおける記録ヘッドの傾き調整装置である。
【００１０】
請求項３記載の発明は、前記軸の先端は、次第に先細りとなるテーパー状に形成され、該軸の先端側の側面で前記記録ヘッドの側面を押圧することを特徴とする請求項１記載のインクジェットプリンタにおける記録ヘッドの傾き調整装置である。
【００１１】
請求項４記載の発明は、前記軸の直線移動は、該軸に形成された螺子部の螺合構造によって、該軸を回転させることにより行われることを特徴とする請求項１、２又は３記載のインクジェットプリンタにおける記録ヘッドの傾き調整装置である。
【発明の効果】
【００１２】
本発明によれば、ノズルの配列方向に沿って直線移動する軸を有する押圧部材の該軸によって記録ヘッドの側面を押圧するだけの簡単な構成によって、記録ヘッドの傾きを高精度に調整することができ、従来のように部品精度を上げる必要がなく、また、キャリッジに大きな重量増加をもたらすおそれもない。
【発明を実施するための最良の形態】
【００１３】
以下、本発明の実施の形態について図面に基づいて説明する。
【００１４】
図１は、本発明に係る記録ヘッドの傾き調整装置を備えたキャリッジの取り付け部を底面側（記録ヘッドのインク吐出側）から見た図、図２は、図１における（II）−（II）線に沿った断面図である。
【００１５】
図中、１は記録ヘッドであり、底面は図示左右方向に沿って多数のノズル１１が配列されたインク吐出面１ａとされている。また、２は記録ヘッド１を搭載するキャリッジの取り付け部であり、開口２１が形成され、この開口２１に記録ヘッド１のインク吐出面１ａを挿通させ、記録ヘッド１の側面から側方に突出形成された係止突起１２を開口２１の周縁に当接させることで、記録ヘッド１を取り付け部２に位置決めさせている。なお、２２は記録ヘッド１の係止突起１２を開口２１の周縁との間で挟着するための挟着片である。
【００１６】
３は本発明に係る記録ヘッドの傾き調整装置を構成する押圧部材である。押圧部材３は、記録ヘッド１のノズル１１の配列方向（図示左右方向）に沿って延びる円柱状の軸３１を有しており、この軸３１が、取り付け部２の開口２１に形成された軸収容部２１ａに収容されている。
【００１７】
軸収容部２１ａは、記録ヘッド１のノズル配列方向に沿う開口２１の一端（図示左端）から取り付け部２の同一端（図示左端）まで延びており、この軸収容部２１ａにおいて、軸３１は、先端３１ａが記録ヘッド１の一側面１ｂに達すると共に、後端３１ｂが取り付け部２の一端から突出し、該取り付け部２の一端側に設けられた支持板３２によって回転可能に支持されている。なお、２３は軸収容部２１ａの上面を覆うと共に記録ヘッド１の一端側を取り付け部２の周縁との間で挟着するための挟着片である。
【００１８】
軸３１は、その中途部に螺子部（雄螺子）３１ｃが設けられており、取り付け部２の軸収容部２１ａ内に固着されたナット２４に螺合している。従って、軸３１の後端３１ｂを正回転させることで、軸３１は軸収容部２１ａ内を記録ヘッド１のノズル１１の配列方向に沿って該記録ヘッド１の一側面１ｂを図示右方向に直線移動し、また、逆回転させることで、軸３１は軸収容部２１ａ内を記録ヘッド１のノズル１１の配列方向に沿って該記録ヘッド１の一側面１ｂを図示左方向に直線移動する。
【００１９】
軸収容部２１ａにおいて、軸３１の先端３１ａが収容されている部分は、記録ヘッド１の一側面１ｂに向けて次第に傾斜するガイド面２１ａ’とされており、軸３１の後端３１ｂを正回転させて、該軸３１を記録ヘッド１のノズル１１の配列方向に沿って図示右方向に直線移動させた際、軸３１の先端３１ａをその直線移動に伴ってガイド面２１ａ’に沿って記録ヘッド１の一側面１ｂに向けて移動させる。これにより、軸３１の先端３１ａは、ガイド面２１ａ’に案内されることによって次第に記録ヘッド１の一側面１ｂを押圧することとなり、この軸３１の移動量、すなわち軸３１の後端３１ｂを回転する際の回転量を適宜調整することによって、記録ヘッド１のノズル１１の配列方向の傾きθを調整することができる。
【００２０】
図３は、押圧部材の別の態様を示している。図１と同一構成は同一符号を付してあり、ここでは図１と異なる要部のみを示す。
【００２１】
同図に示す軸収容部２１ａには、図１に示すようなガイド面２１ａ’は形成されておらず、軸３３の先端３３ａは、開口２１の内周と記録ヘッド１の一側面１ｂとの間において、図３の左右方向に沿って移動可能とされている。
【００２２】
この態様において、押圧部材３は、取り付け部２の開口２１の軸収容部２１ａに収容された軸３３の先端３３ａが、次第に先細りとなるテーパー状に形成されており、そのテーパー状の先端３３ａが記録ヘッド１の一側面１ｂの一端部１ｂ’に当接している。
【００２３】
従って、軸３３の後端を正回転させて、該軸３３を記録ヘッド１のノズル１１の配列方向に沿って図示右方向に直線移動させた際、軸３３の先端３３ａはその直線移動に伴って先細り状のテーパーによって記録ヘッド１の一側面１ｂにおける一端部１ｂ’を押圧し、該一側面１ｂと開口２１の同一側の周縁との間隔を次第に広げるように該記録ヘッド１を移動させる。このように軸３３の移動量、すなわち軸３３の後端を回転する際の回転量を適宜調整することによって、上記同様、記録ヘッド１のノズル１１の配列方向の傾きθを調整することができる。
【００２４】
このように、本発明によれば、ノズル１１の配列方向に沿って直線移動する軸３１、３３を有する押圧部材３によって、記録ヘッド１の側面１ｂを押圧するようにしただけの構成で記録ヘッド１の傾きを調整することができるため、極めて簡単な構造で、軽量且つコンパクトな傾き調整装置を構成することができる。
【００２５】
また、部品を格別高精度化する必要もないため、コストダウンを図ることもできる。
【００２６】
更に、ガイド面２１ａ’の傾きや軸３３の先端３３ａのテーパーの大小によって軸３１、３３の直線移動時の記録ヘッド１の押圧量を自由に決めることができると共に、そのガイド面２１ａ’の傾きや軸３３の先端３３ａのテーパーによって、非常に微小な単位での傾き調整を行うことができる。
【００２７】
特に、各実施形態に示すように、軸３１、３３の直線移動を、該軸３１、３３に形成された螺子部３１ｃの螺合構造によって、軸３１、３３を回転させることにより行うようにすることで、軸３１、３３の回転量によって直線移動量を決定できるため、容易に微小な調整が可能である。
【図面の簡単な説明】
【００２８】
【図１】本発明に係る記録ヘッドの傾き調整装置を備えたキャリッジの取り付け部を底面側から見た図
【図２】図１における（II）−（II）線に沿った断面図
【図３】押圧部材の別の態様を示すキャリッジの取り付け部を底面側から見た図
【符号の説明】
【００２９】
１：記録ヘッド
１ａ：インク吐出面
１ｂ：側面
１ｂ’： 一端部
１１：ノズル
１２：係止突起
２：取り付け部
２１：開口
２１ａ：軸収容部
２１ａ’：ガイド面
２２、２３：挟着片
２４：ナット
３：押圧部材
３１、３３：軸
３１ａ、３３ａ：先端
３１ｂ：後端
３１ｃ：螺子部
３２：支持板
【図１】
2005081713.tif 000003
【図２】
2005081713.tif 000004
【図３】
2005081713.tif 000005